(57)【特許請求の範囲】
【請求項１】
遊技機の本体部と、その本体部に対し一側が開閉機構によって開閉可能に取り付けられ他側が閉止機構に閉じ状態に保持される開閉扉と、を備えた遊技機であって、
前記開閉扉には電気部品が設けられる一方、前記本体部側には、前記電気部品を制御する制御装置が設けられ、
前記本体部の前面上部で前記開閉機構から離隔した前記閉止機構側と前記開閉扉の裏面上部で前記開閉機構から離隔した前記閉止機構側との相互には、前記開閉扉が閉じられたときに互いに接合して前記制御装置と前記電気部品とを電気的に接続し、前記開閉扉が開かれたときに互いに離脱する本体部側のコネクタと開閉扉側のコネクタとがそれぞれ設けられ、
前記本体部には、前記本体部に固定される箱形状の案内部材と、該案内部材の後端部に設けられる弾性部材により前後方向の直線移動が可能なように挿入支持された摺動体と、を設けると共に、前記本体部側のコネクタを前記摺動体の前端部に上下方向の軸を中心として傾動可能に組み付けられ、
前記開閉扉が閉じられることで前記本体部側のコネクタと前記開閉扉側のコネクタとが当接して前記弾性部材を弾性的に変形させながら且つ前記本体部側のコネクタを傾動変位させながら前記本体部側のコネクタと前記開閉扉側のコネクタとが接合されるとともに、前記弾性部材の弾性変形に基づく弾発力によって、前記本体部側のコネクタと前記開閉扉側のコネクタとが押圧される構成としたことを特徴とする遊技機。
【発明の詳細な説明】
【０００１】
【発明の属する技術分野】
この発明は、弾球遊技機とも呼ばれるパチンコ機（アレンジボール機、雀球機等も含む）やスロットマシン等の遊技機に関し、特に、遊技機の本体部と、その本体部に対し一側が開閉機構によって開閉可能に取り付けられ他側が閉止機構に閉じ状態に保持される開閉扉と、を備えた遊技機に関する。
【０００２】
【従来の技術】
従来、この種の遊技機において、開閉扉の所定位置に、ランプ基板、表示装置等の電機部品が配設されることがある。この場合、遊技機の本体部側に設置されている制御装置によって電機部品を制御するために、接続ケーブルの一端が本体部側の制御装置に、同接続ケーブルの他端が電機部品に接続される。また、接続ケーブルは、本体部に対する開閉扉の開閉動作を考慮して、開閉扉の吊元側、すなわち扉用開閉機構が配設される側に接近して配線されるのが一般的である。
【０００３】
【発明が解決しようとする課題】
ところで、開閉扉の扉用開閉機構が配設される側に接近して接続ケーブルが配線されると、開閉扉の開閉時、特に、開閉扉を閉じるときに、遊技機の本体部と開閉扉との間に接続ケーブルが挟み込まれて損傷されたり、切断される不具合が発生する場合があった。このような不具合を解消するため、本体部側と開閉扉側との相互に、制御装置に通じるコネクタと、電気部品に通じるコネクタとをそれぞれ固定し、開閉扉を閉じたときに前記一対のコネクタが接合し、開閉扉を開いたときに前記一対のコネクタが離脱するにように構成することが考えられる。しかしながら、扉用開閉機構のヒンジ軸を中心として開閉扉を閉じるときに、一方のコネクタ（おすコネクタ）のコネクタピンが他方のコネクタ（めすコネクタ）に斜めの状態となり、適切に差し込まれない場合がある。このようなことから、コネクタピンが屈曲されたり、あるいは折損される不具合が発生する、という問題点があった。この発明の目的は、前記問題点に鑑み、本体部に対し開閉扉を閉じることで、本体部側と開閉扉側との相互に設けた一対のコネクタを良好に接合することができ、コネクタピンの屈曲や折損を防止することができるコネクタ接合構造をもつ遊技機を提供することである。
【０００４】
【課題を解決するための手段】
前記目的を達成するために、第１の発明に係る遊技機は、請求項１に記載のとおりの構成を要旨とするもので、遊技機の本体部と、その本体部に対し一側が開閉機構によって開閉可能に取り付けられ他側が閉止機構に閉じ状態に保持される開閉扉と、を備える。開閉扉には電気部品が設けられる一方、本体部側には、電気部品を制御する制御装置が設けられる。本体部の前面上部で開閉機構から離隔した閉止機構側と開閉扉の裏面上部で開閉機構から離隔した閉止機構側との相互には、その開閉扉が閉じられたときに互いに接合して制御装置と前記電気部品とを電気的に接続し、開閉扉が開かれたときに互いに離脱する本体部側のコネクタと開閉扉側のコネクタとがそれぞれ設けられる。本体部には、本体部に固定される箱形状の案内部材と、該案内部材の後端部に設けられる弾性部材により前後方向の直線移動が可能なように挿入支持された摺動体と、を設けると共に、本体部側のコネクタを摺動体の前端部に上下方向の軸を中心として傾動可能に組み付けられる。開閉扉が閉じられることで本体部側のコネクタと開閉扉側のコネクタとが当接して弾性部材を弾性的に変形させながら且つ本体部側のコネクタを傾動変位させながら本体部側のコネクタと開閉扉側のコネクタとが接合されるとともに、弾性部材の弾性変形に基づく弾発力によって、本体部側のコネクタと開閉扉側のコネクタとが押圧される構成とした。
【０００５】
したがって、扉用開閉機構のヒンジ軸を中心として開閉扉を閉じると、少なくとも本体部側のコネクタと開閉扉側のコネクタとが当接して弾性部材を弾性的に変形させて所定位置まで後退しながら且つ本体部側のコネクタを傾動変位させながら、本体部側のコネクタと開閉扉側のコネクタとが接合される。すなわち、一対のコネクタの差し込み初期において、一方のコネクタ、例えば、おすコネクタのコネクタピンが他方のコネクタ、例えば、めすコネクタに斜めの状態で差し込まれる際、一方のコネクタが弾性部材を弾性的に変形させながら所定位置まで後退すると共に、おすコネクタのコネクタピンがめすコネクタに略平行状をなす状態まで傾動する。そして、一方のコネクタが所定位置まで後退すると、おすコネクタのコネクタピンがめすコネクタに対し略平行状をなして良好に差し込まれる。そして、開閉扉が閉じ位置まで閉じられることで、一対のコネクタが接続される。このようにして一対のコネクタが接続されることによって、コネクタピンが屈曲されたり、あるいは折損される不具合を防止することができる。また、開閉扉が閉じた状態において、弾性部材の弾性変形に基づく弾発力がコネクタに作用するため、一対のコネクタの接続不良が防止されると共に、コネクタピンの屈曲、折損を確実に防止することができる。
【０００６】
【０００７】
【０００８】
【０００９】
【発明の実施の形態】
この発明の実施の形態を図面にしたがって説明する。図４は遊技機としてのパチンコ機（弾球遊技機ともいう）の正面図である。図５は図４のＶ−Ｖ線に基づく縦断面図である。図６は図４のＶＩ−ＶＩ線に基づく平断面図である。図７は本体部の外枠に対し基枠を開きその基枠に対し開閉扉を開いた状態を示す斜視図である。図８は本体部の外枠に対し基枠を開いた状態を示す斜視図である。図４〜図８において、パチンコ機１の本体部は、外枠３、基枠７及び遊技盤１０を主体として構成され、基枠７の前側には開閉扉３０が開閉可能に装着されている。外枠３は方形枠状に形成され、その前面の下部には基枠７の下面を受ける受板３ａが設けられている。
【００１０】
図７と図８に示すように、外枠３の前側には、基枠７がその一側の基枠用開閉機構をなす基枠用ヒンジ部材６の軸を支点として開閉可能に取り付けられている。この基枠７の他側は、基枠用閉止機構をなす基枠施錠用フック１５によって閉じ状態に保持されている。なお、周知のように、基枠用閉止機構は、基枠７の後側面に設けられた基枠施錠用フック１５と、その基枠施錠用フック１５に係脱可能な位置において外枠３の内側面に設けられた係止具（図示しない）とを備えている。そして、基枠７が閉じられることで、その基枠施錠用フック１５が外枠３の係止具に係合して基枠７が閉じ状態に施錠されるようになっている。また、外枠３に対する基枠７の解錠は、基枠７の鍵穴１８に対し鍵を挿入し、その鍵を、所定方向に回動操作することで、基枠施錠用フック１５が外枠３の係止具から外れ、外枠３に対し基枠７が解錠されるようになっている。図５〜図８に示すように、基枠７は、遊技盤１０の前面の略全体を露出する開口部を有する方形額縁状に形成されている。この基枠７の後面には、その開口部周縁に沿って遊技盤装着枠８が設けられている。そして、遊技盤１０は、遊技盤装着枠８の後方から着脱可能に嵌込まれる。さらに、遊技盤装着枠８の片側において開閉可能に装着された機構板１９を閉じ、遊技盤装着枠８の後面に配設された複数の締付具９を固定位置まで回動することによって遊技盤装着枠８に機構板１９を介して遊技盤１０が固定されるようになっている（図８参照）。
【００１１】
図７に示すように、遊技盤１０の前面には、球発射通路を構成する外レールと内レールを備えた案内レール１１が装着され、その案内レール１１の内側には遊技領域１２が区画されている。遊技盤１０の前面には、その遊技領域１２内においてセンタ役物、入賞口、風車器、多数の釘等が配設されている。また、図７に示すように、基枠７の前面の下部には、発射レール装置６０が配設されるとともに、その発射レール装置６０を覆うようにして前板６２が開閉可能に装着されている。前板６２の前面には上皿６１が装着され、同前板６２の下方に位置する基枠７の下部前面には、操作ハンドル１６、下皿１７等が配設されている。また、遊技盤１０の後側には、後述する開閉扉３０の電気部品としてのランプ基板３５の発光体３６を点滅制御したり、他の電気部品としての表示装置３８を制御する制御装置（図示しない主制御基板、ランプ制御基板等）が設置されている。
【００１２】
図７に示すように、基枠７の前側には、一側が扉用開閉機構２０によって開閉可能に取り付けられ、他側が扉用閉止機構２５によって閉じ状態に保持される開閉扉３０が配設されている。この実施の形態において、開閉扉３０の一側とこれに対向する基枠７前面の一側との間には、扉用開閉機構２０を構成する扉用ヒンジ部材２１が配設されており、その扉用ヒンジ部材２１のヒンジ軸を支点（中心）として開閉扉３０が開閉可能に装着されている。また、開閉扉３０後面の他側（自由端側）と基枠７前面の他側との間には、扉閉止用フック２６と施錠板２７とを備えた扉用閉止機構２５が配設されている。
【００１３】
すなわち、図６と図７に示すように、開閉扉３０後面の一側の上下及び中間の計三箇所には、扉閉止用フック２６が突設される一方、基枠７の他側部には開閉扉３０が閉じられたときには、その扉閉止用フック２６が差し込まれる差込孔７ａが形成されている。また、基枠７の後面の他側部には、各扉閉止用フック２６に係脱可能に係合して開閉扉３０を閉じ状態に施錠する施錠孔を有する施錠板２７が施錠位置と開錠位置とに移動可能（上下動可能）に配設されている。そして、開閉扉３０が閉じられることで、その扉閉止用フック２６が施錠板２７を、一旦、バネの弾発力に抗して開錠方向に移動しながらその施錠孔に差し込まれ、その後、施錠板２７がバネの弾発力によって元の施錠位置に戻されることで、扉閉止用フック２６が施錠板２７に係合し、これによって、開閉扉３０が閉じ状態に施錠されるようになっている。また、基枠７に対する開閉扉３０の解錠は、基枠７の鍵穴１８に対し鍵を挿入し、その鍵を、外枠３に対する基枠７の解錠方向とは逆の方向に回動操作することで、施錠板２７がバネの弾発力に抗して開錠方向に移動し、これによって施錠板２７の施錠孔から扉閉止用フック２６が外れ、基枠７に対し開閉扉３０が解錠されるようになっている。
【００１４】
図５〜図７に示すように、開閉扉３０は、本体フレーム３２と、その本体フレーム３２の前面に装着された合成樹脂製の前面飾り部材３３を主体として構成されている。本体フレーム３２は、鉄板等の金属板や硬質合成樹脂より形成され、その本体フレーム３２の中央部には、遊技盤１０の遊技領域１２を透視可能な略円形の開口窓３１が形成されている。また、前面飾り部材３３は合成樹脂の成形品より形成され、その前面には凹凸の装飾が施されるとともに、その一部には光が出射されるレンズ部が適宜に形成されている。また、本体フレーム３２と前面飾り部材３３との間には、レンズ部に対応する位置において電機部品としてのランプ、ＬＥＤ等の発光体３６を備えたランプ基板３５が配設されている。また、図４と図５に示すように、開閉扉３０の下部中央部には、前面の表示部を視認可能に露出して他の電機部品としての表示装置３８が装着されている。
【００１５】
図５と図６に示すように、開閉扉３０の本体フレーム３２の後面には、開口窓３１を塞ぐ前後二枚の方形の窓板４２（ガラス板、透明な合成樹脂板等よりなる窓板）を保持するための窓枠４０が一体状に形成されている。この窓枠４０は、開口窓３１の下方において左右方向に延びる下枠部４０ａと、その下枠部４０ａの左右両端から上方に立ち上がって延びる左右の両側枠部４０ｂとをそれぞれ備えて略Ｕ字枠状に形成されている。また、前後二枚の窓板４２を保持するために窓枠４０の下枠部４０ａ及び左右の両側枠部４０ｂには、保持溝４１が前後２列をなして形成されている。また、前後の両保持溝４１の上端は窓枠４０の左右の両側枠部４０ｂの上端に開口している。そして、前後二枚の窓板４２は、その左右両縁部が左右の両側枠部４０ｂのガラス差込口から各保持溝４１に差し込まれ、その窓板４２の下縁が下枠部４０ａの保持溝４１に差し込まれた状態で保持されるようになっている。
【００１６】
また、窓枠４０の左右の両側枠部４０ｂの上端部には、ガラス押え体４５が開閉可能あるいは着脱可能に装着されている。例えば、ガラス押え体４５の両端部に開閉アームが設けられ、その両開閉アームが長孔とピンによって窓枠４０の左右の両側枠部４０ｂの上端部に取り付けられることで、ガラス押え体４５が前後方向に開閉可能に装着されている。そして、ガラス押え体４５は、窓枠４０の左右の両側枠部４０ｂの上端に跨って閉じられたることで、窓板４２の上端を押えるようになっている。また、ガラス押え体４５が開放されることによって、窓枠４０の保持溝４１の上方開口部から窓板４２が着脱交換可能に差し込まれるようになっている。
【００１７】
パチンコ機１の本体部側に配置された制御装置、この実施の形態では遊技盤１０の後側（本体部側）に設置された制御装置と、開閉扉３０の電機部品としてのランプ基板３５及び表示装置３８とを電気的に接続するために、基枠７と開閉扉３０の相互には一対のコネクタ５０、５１がそれぞれ接離可能に配設されている。図１〜図３に示すように、一対のコネクタ５０、５１のうち、少なくとも一方のコネクタ、例えば、基枠７側（本体部側）のコネクタ５０（おすコネクタ）は弾性部材７０を介して進退可能に支持されている。すなわち、この実施の形態において、開閉扉３０の自由端寄り部分に対向する基枠７の片側寄り部分の上部に、前方に開口する箱形状の案内部材５５（この発明の案内部に相当する）が固定状態で取り付けられている。この案内部材５５には、その奥側壁との間に弾性部材７０を間に挟んで摺動体５６が前後方向に移動可能に嵌挿されている。この摺動体５６の前端部には上下方向の軸５７を中心としてコネクタ５０が傾動可能に組み付けられている。そして、案内部材５５に対しコネクタ５０は、摺動体５６を介して弾性部材７０を弾性変形させながら前後方向に進退可能に支持されている。また、基枠７側（本体部側）のコネクタ５０は、ケーブル（図示しない）によって制御装置に電気的に接続されている。
【００１８】
一方、基枠７側（本体部側）のコネクタ５０に対応する他方のコネクタ５１（めすコネクタ）は開閉扉３０の自由端寄り部分の後面上部に固定状態で配設されている。このコネクタ５１は、ケーブル（図示しない）によって電気部品としてのランプ基板３５及び表示装置３８とを電気的に接続されている。そして、開閉扉３０が閉じられることで弾性部材７０を弾性的に変形させながら一対のコネクタ５０、５１が接合され、開閉扉３０が開かれることで一対のコネクタ５０、５１が離脱するように構成されている。
【００１９】
また、図１と図２に示すように、弾性部材７０は、帯板状のバネ部材７１によって形成されている。このバネ部材７１は、その長手方向（左右方向）の略中央部に基部７２が設けられ、その基部７２の両端から前方に向けて略ハの字状をなして弾性変形部７３がそれぞれ延出されている。さらに、両弾性変形部７３の延出端（自由端）には、円形の押圧部７４が形成されている。そして、バネ部材７１は、その基部７２においてビス等によって案内部材５５の奥側壁内面に固定され、両弾性変形部７３の押圧部７４が摺動体５６の後面に当接して弾性変形されるようになっている。
【００２０】
この実施の形態の遊技機１は上述したように構成される。したがって、図に示すように、本体部側、すなわち、基枠７に対し開閉扉３０が扉用ヒンジ部材２１のヒンジ軸を中心として回動されて閉じられると、扉用閉止機構２５の扉閉止用フック２６が施錠板２７の施錠孔に係合する。これによって、開閉扉３０が閉じ状態に施錠（係止）される。開閉扉３０が閉じ位置まで閉じられる直前において、開閉扉３０の閉じ動作によって、一方のコネクタ５０が摺動体５６を介してバネ部材７１の両弾性変形部を弾性的に変形させながら所定位置まで後退し、他方のコネクタ５１と接合される（図１及び図２参照）。また、開閉扉３０が閉じた状態において、弾性部材７０としてのバネ部材７１の両弾性変形部７３の弾性変形に基づく弾発力が一方のコネクタ５０及び他方のコネクタ５１に作用するため、一対のコネクタ５０、５１の接合不良を防止することができるとともに、これら一対のコネクタ５０、５１が不測に離脱する不具合も生じない。
【００２１】
また、弾性部材７０としてのバネ部材７１は、その基部７２が、基枠７に固定の案内部材５５の奥側壁内面に固定されている。さらに、バネ部材７１の両弾性変形部７３の自由端部に設けられた押圧部７４に、摺動体５６を介して一方のコネクタ５０が進退可能に配設されている。このため、バネ部材７１は、その基部７２が案内部材５５に固定された状態でその両弾性変形部７３が安定よく弾性変形する。そして、両弾性変形部７３の弾性変形に基づく弾発力を摺動体５６を介して一方のコネクタ５０に確実に作用させることができる。このため、一対のコネクタ５０、５１を一層良好に接合することができる。特に、開閉扉３０が閉じた状態において、バネ部材７１の両弾性変形部７３の弾性変形に基づく弾発力がコネクタ５０に過不足なく作用させることが可能となり、一対のコネクタ５０、５１の接合不良の防止効果が大きい。
【００２２】
また、一方のコネクタ５０は、案内部材５５に進退案内される摺動体５６の前端部に上下方向の軸５７を中心として傾動可能に組み付けられている。このため、開閉扉３０の閉じ動作にともなって一方のコネクタ５０がバネ部材７１を弾性的に変形させながら所定位置まで後退する際、コネクタ５０は摺動体５６を介して案内部材５５に案内されて後退する。これによって、一方のコネクタ５０が不測に位置ずれしながら後退することを防止することができ、コネクタ５０の位置ずれによる接続不良やコネクタピンの屈曲、折損の防止に効果が大きい。また、開閉扉３０の閉じ動作にともなって一対のコネクタ５０、５１が相互に差し込まれる初期において、一方のコネクタ５０、例えば、おすコネクタのコネクタピンが他方のコネクタ５１、例えば、めすコネクタに斜めの状態となって差し込まれようとすると、一方のコネクタ５０のコネクタピンは、他方のコネクタ５１に略平行状をなす状態まで軸５７を中心として傾動する。これによって、一対のコネクタ５０、５１は確実に接合される。このように一対のコネクタ５０、５１を接合することによって、コネクタピンの屈曲、折損を確実に防止することができる。
【００２３】
なお、この発明は前記実施の形態に限定するものではない。例えば、前記実施の形態では、弾性部材７０として、板バネよりなるバネ部材７１を用いたが、圧縮コイルスプリングよりなるバネ部材を用いてもよい。また、弾性部材７０をゴム等の弾性体によって構成することも可能であり、さらに、金属製、合成樹脂製等のバネ材よりなるバネ部材とゴム製の弾性体とを組み合わせて構成することも可能である。また、前記実施の形態では、基枠７に固定の案内部材５５に対し摺動体５６を介して一方のコネクタ５０を進退案内したが、案内部材５５に直接的にコネクタ５０を進退案内するように構成することも可能である。また、案内部材５５を用いることなく、弾性部材７０の自由端側に一方のコネクタ５０を取り付けても、コネクタピンの屈曲、折損の防止効果がある。また、本体部としての基枠７と開閉扉３０との両部材に対し、弾性部材を介して一対のコネクタ５０、５１をそれぞれ進退可能に支持してもよい。また、前記実施の形態では遊技機がパチンコ機１（アレンジボール機、雀球機等も含む）である場合を例示したが、スロットマシン等であっても採用することができる。
【００２４】
【発明の効果】
以上述べたように、この発明によれば、開閉扉の閉じ動作によって一対のコネクタが接合される際、少なくとも一方のコネクタが弾性部材を弾性的に変形させかつ所定位置まで後退しながら、他方のコネクタと良好に接続される。このため、コネクタピンの屈曲や折損を防止することができる。また、開閉扉が閉じた状態において、弾性部材の弾発力によって、一対のコネクタの接続不良を防止することができるとともに、一対のコネクタが不測に外れる不具合も防止することができる。
【図面の簡単な説明】
【図１】この発明の実施の形態に係るパチンコ機の本体部をなす基枠と開閉扉との間に一対のコネクタが配設された状態を拡大して示す平断面図である。
【図２】同じく基枠に対し開閉扉が所定角度だけ開かれた状態を拡大して示す平断面図である。
【図３】同じく図１のＩＩＩ−ＩＩＩ線に基づく断面図である。
【図４】同じく遊技機としてのパチンコ機全体を示す正面図である。
【図５】同じく図４のＶ−Ｖ線に基づく縦断面図である。
【図６】同じく図４のＶＩ−ＶＩ線に基づく平断面図である。
【図７】同じく本体部の外枠に対し基枠を開きその基枠に対し開閉扉を開いた状態を示す斜視図である。
【図８】同じく本体部の外枠に対し基枠を開いた状態を示す斜視図である。
【符号の説明】
１ パチンコ機（遊技機）
３ 外枠（本体部）
７ 基枠（本体部）
２０ 扉用開閉機構
２５ 扉用閉止機構
３０ 開閉扉
５０、５１ コネクタ
５５ 案内部材
５６ 摺動体
５７ 軸
７０ 弾性部材
７１ バネ部材
７２ 基部
７３ 弾性変形部
７４ 押圧部
【図１】
0004257567.tif 000002
【図２】
0004257567.tif 000003
【図３】
0004257567.tif 000004
【図４】
0004257567.tif 000005
【図５】
0004257567.tif 000006
【図６】
0004257567.tif 000007
【図７】
0004257567.tif 000008
【図８】
0004257567.tif 000009